(57)【要約】【課題】利用者側の要求に応じて表示オブジェクトの表示態様を所望の表示態様に変更して利用者の通信端末に表示させる。【解決手段】通信端末２からの利用者ＩＤ、表示態様識別子Ｄ１５を受信し、初期表示情報データベース１２から、受信された利用者ＩＤに対応する初期表示情報Ｄ１を検索する初期表示情報管理部１３と、表示オブジェクトデータベース１４から、利用者ＩＤに対応する表示オブジェクトＤ５を検索する表示オブジェクト管理部１５と、表示態様情報データベース１６から、受信された表示態様識別子Ｄ１５に対応する表示態様情報Ｄ１０を検索する表示態様情報管理部１７と、検索された初期表示情報Ｄ１、表示オブジェクトＤ５、表示態様情報Ｄ１０から、３次元空間内に構成される３次元空間情報Ｘを生成する３Ｄ空間情報生成部１９と、生成された３次元空間情報Ｘを、利用者ＩＤ送信元の通信端末２へ送信する空間管理部１１と、を備えている。【選択図】      図１
2004334697.tif 000002
【特許請求の範囲】
【請求項１】
利用者が利用する通信端末に対して、３次元座標が設定された３次元空間内に構成された３次元空間情報を提供する３次元空間情報提供装置であって、
前記通信端末から送信されてきた前記利用者のＩＤおよび表示態様識別子を受信し、前記３次元空間内に表示できる所定の３次元座標を有する第１の表示情報が前記利用者のＩＤに対応付けて記憶された第１の表示情報データベースから、受信された利用者ＩＤに対応する第１の表示情報を検索する手段と、
前記３次元空間内に前記第１の表示情報に追加して表示するための表示要素を表す所定の３次元座標を有する表示オブジェクトを前記利用者ＩＤに対応付けて記憶する表示オブジェクトデータベースから、受信された利用者ＩＤに対応する表示オブジェクトを検索する手段と、
前記通信端末の表示処理時における前記表示オブジェクトの複数の表示態様を表す複数の表示態様情報を複数の表示態様識別子にそれぞれ対応付けて記憶する表示態様情報データベースから、受信された表示態様識別子に対応する表示態様情報を検索する手段と、
前記検索された第１の表示情報、表示オブジェクトおよび表示態様情報に基づいて、前記３次元空間内に構成される３次元空間情報を生成する手段と、
生成された３次元空間情報を、前記利用者ＩＤおよび表示態様識別子送信元の通信端末へ送信する手段と、
を備えたことを特徴とする３次元空間情報提供装置。
【請求項２】
前記表示オブジェクトは複数であり、該複数の表示オブジェクトは、前記利用者ＩＤに加えて、それぞれ複数のオブジェクトＩＤに対応付けて前記表示オブジェクトデータベースに記憶されており、
前記表示態様情報データベースには、前記各表示オブジェクトそれぞれの複数の表示態様を表す複数の表示態様情報が該表示オブジェクト毎に複数の表示態様識別子にそれぞれ対応付けて記憶されており、
前記通信端末から送信されてきた前記利用者のＩＤ、前記オブジェクトＩＤおよび表示態様識別子を受信し、前記表示オブジェクトデータベースから、受信された利用者ＩＤおよびオブジェクトＩＤに対応する表示オブジェクトを検索する手段と、
前記表示態様情報データベースから、受信された表示態様識別子に対応する表示態様情報を検索する手段と、
前記検索された表示オブジェクトおよび表示態様情報に基づいて、該表示オブジェクトの前記３次元空間内に構成される３次元空間情報を生成する手段と、
を備えたことを特徴とする請求項１記載の３次元空間情報提供装置。
【請求項３】
前記通信端末は、送信されてきた３次元空間情報を表示処理する手段を有しており、
前記複数の表示態様情報は、当該通信端末の表示処理時において実行可能であり、その通信端末の表示処理により前記表示オブジェクトの表示態様をそれぞれ変化させる複数のプログラムファイルを有することを特徴とする請求項１記載の３次元空間情報提供装置。
【請求項４】
前記複数のプログラムファイルは、前記通信端末の表示処理により前記表示オブジェクトの属性情報を併せて表示するプログラムファイルおよび該表示処理により前記表示オブジェクトを回転表示するプログラムファイルの内の少なくとも１つを含むことを特徴とする請求項３記載の３次元空間情報提供装置。
【請求項５】
前記複数のプログラムファイルの内の少なくとも１つのプログラムファイルは、対応する前記表示オブジェクトの３次元座標に応じて前記通信端末の表示処理により異なる表示態様変化をさせるプログラムファイルである請求項３記載の３次元空間情報提供装置。
【請求項６】
前記複数のプログラムファイルは互いにリンクされており、そのリンクされた複数のプログラムは共に前記通信端末へ送信されるようになっており、
前記複数のプログラムファイルの内の１つのプログラムファイルに基づく前記通信端末による前記表示オブジェクトの表示処理後、そのプログラムファイルにリンクされている他のプログラムファイルに基づいて、前記通信端末による前記表示オブジェクトの表示処理に移行することを特徴とする請求項３記載の３次元空間情報提供装置。
【請求項７】
前記通信端末から送信されてきた前記利用者のＩＤ、追加する表示オブジェクト、該追加表示オブジェクトの表示態様情報および表示態様識別子を受信し、受信した追加表示オブジェクトに追加オブジェクトＩＤを付与し、その追加オブジェクトＩＤが付与された追加表示オブジェクトを前記利用者ＩＤに対応付けて前記表示オブジェクトデータベースに追加登録する手段と、
前記追加表示オブジェクトの表示態様情報を、その表示態様識別子に対応付けて前記表示態様情報データベースに追加登録する手段と、
を備えたことを特徴とする請求項１乃至６の内の何れか１項記載の３次元空間情報提供装置。
【請求項８】
利用者が利用する通信端末に対して、３次元座標が設定された３次元空間内に構成された３次元空間情報を提供する３次元空間情報提供方法であって、
前記通信端末から送信されてきた前記利用者のＩＤおよび表示態様識別子を受信し、前記３次元空間内に表示できる所定の３次元座標を有する第１の表示情報が前記利用者のＩＤに対応付けて記憶された第１の表示情報データベースから、受信された利用者ＩＤに対応する第１の表示情報を検索する第１のステップと、前記３次元空間内に前記第１の表示情報に追加して表示するための表示要素を表す所定の３次元座標を有する表示オブジェクトを前記利用者ＩＤに対応付けて記憶する表示オブジェクトデータベースから、受信された利用者ＩＤに対応する表示オブジェクトを検索する第２のステップと、
前記通信端末の表示処理時における前記表示オブジェクトの複数の表示態様を表す複数の表示態様情報を複数の表示態様識別子にそれぞれ対応付けて記憶する表示態様情報データベースから、受信された表示態様識別子に対応する表示態様情報を検索するステップと、
前記検索された第１の表示情報、表示オブジェクトおよび表示態様情報に基づいて、前記３次元空間内に構成される３次元空間情報を生成する第３のステップと、
生成された３次元空間情報を、前記利用者ＩＤおよび表示態様識別子送信元の通信端末へ送信する第４のステップと、
を備えたことを特徴とする３次元空間情報提供方法。
【請求項９】
前記通信端末から送信されてきた前記利用者のＩＤ、追加する表示オブジェクト、該追加表示オブジェクトの表示態様情報および表示態様識別子を受信し、受信した追加表示オブジェクトに追加オブジェクトＩＤを付与し、その追加オブジェクトＩＤが付与された追加表示オブジェクトを前記利用者ＩＤに対応付けて前記表示オブジェクトデータベースに追加登録する第５のステップと、
前記追加表示オブジェクトの表示態様情報を、その表示態様識別子に対応付けて前記表示態様情報データベースに追加登録する第６のステップと、
を備えたことを特徴とする請求項８記載の３次元空間情報提供方法。
【請求項１０】
請求項８に記載の第１〜第４のステップの内、少なくとも第１〜第３のステップをコンピュータに実行させることを特徴とするプログラム。
【請求項１１】
請求項１０に記載のプログラムを記録することを特徴とする記録媒体。
【発明の詳細な説明】
【０００１】
【発明の属する技術分野】
本発明は、利用者が利用する通信端末に対して、３次元座標が設定された３次元空間内に構成された３次元空間情報を提供する３次元空間情報提供装置、方法、プログラムおよび記録媒体に関する。
【０００２】
【従来の技術】
従来よりインターネットサービスプロバイダのサーバは、下記の非特許文献１のサーバに代表されるように、利用者毎に選択されたサービスのメニュー等を、利用者のコンピュータ、携帯電話等の通信端末に搭載された閲覧ソフトウェア（例えば、ＷＷＷブラウザ）で閲覧可能なコンテンツである２次元情報をその利用者の通信端末に提供する処理を行っている。かかる処理では、通信端末（ブラウザ）からの要求に応じて、その２次元情報に含まれるフォルダやアイコン等の表示要素の色等をカスタマイズすることができる。
【０００３】
【非特許文献１】
ｈｔｔｐ：／／ｍｙ．ｙａｈｏｏ．ｃｏ．ｊｐ／
【０００４】
【発明が解決しようとする課題】
しかしながら、上述した従来の処理により利用者の通信端末により表示されるアイコン等の表示要素を表す表示オブジェクトの色等の表示態様｛例えば、アイコンの場合、そのアイコンの形状、色、動き、そのアイコンに付加される属性情報（名前等の説明情報）等を含む｝は、インターネットサービスプロバイダのサーバにより予め規定された情報によるものであり、利用者側からその表示要素に対して希望の表示態様を指定し、その指定された表字態様を反映させることができず、利用者の満足度を低下させる要因の一つとなっていた。
【０００５】
例えば、上記ＷＷＷブラウザにより閲覧できるＨＴＭＬファイルでは、そのＨＴＭＬファイルを表示するためのアイコンの指定が、ＨＴＭＬファイル自身の＜ＬＩＮＫ＞タグの”ＲＥＬ”属性を記述することにより可能である。
【０００６】
例えば、ＨＴＭＬファイルのヘッダ情報の中に、
＜ｈｅａｄ＞
＜ＬＩＮＫ  ｒｅｌ＝”ＳＨＯＲＴＣＵＴ  ＩＣＯＮ”ｈｒｅｆ＝”アイコンファイル．ｉｃｏ”＞＜ｔｉｔｌｅ＞タイトル名＜／ｔｉｔｌｅ＞
＜／ｈｅａｄ＞
のように記述することで、アイコンの表示形態を設定することができる。
【０００７】
しかしながら、ＨＴＭＬファイルのアイコンの設定は、上述した記述の内容で予め規定されるものであり、利用者の要求によって変更することができなかった。
【０００８】
さらに、利用者の通信端末に対して２次元情報を提供しているため、その２次元情報内の表示領域は限られており、大量の表示要素を２次元情報と共に表示することは困難であった。また、提供する情報が２次元情報であるため、立体感の欠如した情報となっており、その２次元情報を閲覧した利用者への訴求力に欠ける点が指摘されていた。
【０００９】
本発明は、上述した事情に鑑みてなされたもので、利用者側の要求に応じて表示オブジェクトの表示態様を所望の表示態様に変更して利用者の通信端末に表示させることを可能にして、利用者の満足度をさらに向上させることをその第１の目的とする。
【００１０】
さらに、本発明は、上述した事情に鑑みてなされたもので、利用者に対して３次元空間内に構成された３次元空間情報を提供することにより、大量の表示要素をその３次元空間情報の一部として３次元空間内に所望の表示態様で表示可能にすることをその第３の目的とする。
【００１１】
【課題を解決するための手段】
本発明の第１の態様は、利用者が利用する通信端末に対して、３次元座標が設定された３次元空間内に構成された３次元空間情報を提供する３次元空間情報提供装置であって、前記通信端末から送信されてきた前記利用者のＩＤおよび表示態様識別子を受信し、前記３次元空間内に表示できる所定の３次元座標を有する第１の表示情報が前記利用者のＩＤに対応付けて記憶された第１の表示情報データベースから、受信された利用者ＩＤに対応する第１の表示情報を検索する手段と、前記３次元空間内に前記第１の表示情報に追加して表示するための表示要素を表す所定の３次元座標を有する表示オブジェクトを前記利用者ＩＤに対応付けて記憶する表示オブジェクトデータベースから、受信された利用者ＩＤに対応する表示オブジェクトを検索する手段と、前記通信端末の表示処理時における前記表示オブジェクトの複数の表示態様を表す複数の表示態様情報を複数の表示態様識別子にそれぞれ対応付けて記憶する表示態様情報データベースから、受信された表示態様識別子に対応する表示態様情報を検索する手段と、前記検索された第１の表示情報、表示オブジェクトおよび表示態様情報に基づいて、前記３次元空間内に構成される３次元空間情報を生成する手段と、生成された３次元空間情報を、前記利用者ＩＤおよび表示態様識別子送信元の通信端末へ送信する手段と、を備えている。
【００１２】
本発明の第１の態様において、前記表示オブジェクトは複数であり、該複数の表示オブジェクトは、前記利用者ＩＤに加えて、それぞれ複数のオブジェクトＩＤに対応付けて前記表示オブジェクトデータベースに記憶されており、前記表示態様情報データベースには、前記各表示オブジェクトそれぞれの複数の表示態様を表す複数の表示態様情報が該表示オブジェクト毎に複数の表示態様識別子にそれぞれ対応付けて記憶されており、前記通信端末から送信されてきた前記利用者のＩＤ、前記オブジェクトＩＤおよび表示態様識別子を受信し、前記表示オブジェクトデータベースから、受信された利用者ＩＤおよびオブジェクトＩＤに対応する表示オブジェクトを検索する手段と、前記表示態様情報データベースから、受信された表示態様識別子に対応する表示態様情報を検索する手段と、前記検索された表示オブジェクトおよび表示態様情報に基づいて、該表示オブジェクトの前記３次元空間内に構成される３次元空間情報を生成する手段と、を備えている。
【００１３】
本発明の第１の態様において、前記通信端末は、送信されてきた３次元空間情報を表示処理する手段を有しており、前記複数の表示態様情報は、当該通信端末の表示処理時において実行可能であり、その通信端末の表示処理により前記表示オブジェクトの表示態様をそれぞれ変化させる複数のプログラムファイルを有する。
【００１４】
本発明の第１の態様において、前記複数のプログラムファイルは、前記通信端末の表示処理により前記表示オブジェクトの属性情報を併せて表示するプログラムファイルおよび該表示処理により前記表示オブジェクトを回転表示するプログラムファイルの内の少なくとも１つを含む。
【００１５】
本発明の第１の態様において、前記複数のプログラムファイルの内の少なくとも１つのプログラムファイルは、対応する前記表示オブジェクトの３次元座標に応じて前記通信端末の表示処理により異なる表示態様変化をさせるプログラムファイルである。
【００１６】
本発明の第１の態様において、前記複数のプログラムファイルは互いにリンクされており、そのリンクされた複数のプログラムは共に前記通信端末へ送信されるようになっており、前記複数のプログラムファイルの内の１つのプログラムファイルに基づく前記通信端末による前記表示オブジェクトの表示処理後、そのプログラムファイルにリンクされている他のプログラムファイルに基づいて、前記通信端末による前記表示オブジェクトの表示処理に移行する。
【００１７】
本発明の第１の態様において、前記通信端末から送信されてきた前記利用者のＩＤ、追加する表示オブジェクト、該追加表示オブジェクトの表示態様情報および表示態様識別子を受信し、受信した追加表示オブジェクトに追加オブジェクトＩＤを付与し、その追加オブジェクトＩＤが付与された追加表示オブジェクトを前記利用者ＩＤに対応付けて前記表示オブジェクトデータベースに追加登録する手段と、前記追加表示オブジェクトの表示態様情報を、その表示態様識別子に対応付けて前記表示態様情報データベースに追加登録する手段と、を備えている。
【００１８】
本発明の第２の態様は、利用者が利用する通信端末に対して、３次元座標が設定された３次元空間内に構成された３次元空間情報を提供する３次元空間情報提供方法であって、前記通信端末から送信されてきた前記利用者のＩＤおよび表示態様識別子を受信し、前記３次元空間内に表示できる所定の３次元座標を有する第１の表示情報が前記利用者のＩＤに対応付けて記憶された第１の表示情報データベースから、受信された利用者ＩＤに対応する第１の表示情報を検索する第１のステップと、前記３次元空間内に前記第１の表示情報に追加して表示するための表示要素を表す所定の３次元座標を有する表示オブジェクトを前記利用者ＩＤに対応付けて記憶する表示オブジェクトデータベースから、受信された利用者ＩＤに対応する表示オブジェクトを検索する第２のステップと、前記通信端末の表示処理時における前記表示オブジェクトの複数の表示態様を表す複数の表示態様情報を複数の表示態様識別子にそれぞれ対応付けて記憶する表示態様情報データベースから、受信された表示態様識別子に対応する表示態様情報を検索するステップと、前記検索された第１の表示情報、表示オブジェクトおよび表示態様情報に基づいて、前記３次元空間内に構成される３次元空間情報を生成する第３のステップと、生成された３次元空間情報を、前記利用者ＩＤおよび表示態様識別子送信元の通信端末へ送信する第４のステップと、を備えている。
【００１９】
本発明の第２の態様において、前記通信端末から送信されてきた前記利用者のＩＤ、追加する表示オブジェクト、該追加表示オブジェクトの表示態様情報および表示態様識別子を受信し、受信した追加表示オブジェクトに追加オブジェクトＩＤを付与し、その追加オブジェクトＩＤが付与された追加表示オブジェクトを前記利用者ＩＤに対応付けて前記表示オブジェクトデータベースに追加登録する第５のステップと、前記追加表示オブジェクトの表示態様情報を、その表示態様識別子に対応付けて前記表示態様情報データベースに追加登録する第６のステップと、を備えている。
【００２０】
本発明の第３の態様は、請求項８に記載の第１〜第４のステップの内、少なくとも第１〜第３のステップをコンピュータに実行させることを特徴とするプログラムである。
【００２１】
本発明の第４の態様は、請求項１０に記載のプログラムを記録することを特徴とする記録媒体である。
【００２２】
なお、「３次元空間」とは、３次元座標が設定された空間であればよく、例えば、現実世界の部屋を模した空間や、宇宙空間のような壁、地面のない無限の広がりを持つ空間、あるいは物体が浮いているような重力の概念の無い空間であってもよい。上記すべての場合に対して本発明は適用できる。
【００２３】
【発明の実施の形態】
以下、本発明の実施の形態を図面を参照して説明する。
【００２４】
図１は、本発明の実施の形態の構成を示す図である。
【００２５】
個人空間管理装置１は、利用者が利用する通信端末に対して、３次元座標が設定された３次元空間内に構成された３次元空間情報（以下、３Ｄ空間情報とも記載する）Ｘを提供する３次元空間情報提供装置に相当し、例えばインターネット等の通信ネットワークＮを介して複数の利用者が利用可能な複数の通信端末２、２と情報を通信できるようになっている。
【００２６】
この個人空間管理装置１は、コンピュータ本体、そのコンピュータ本体が実行可能なプログラムが記録された記録媒体としてのメモリ、入力部、ディスプレイ、通信ネットワークＮとコンピュータ本体との情報通信を可能にする通信インタフェース（Ｉ／Ｆ）および３次元座標が設定された３次元空間を利用者毎に確保する大容量記憶装置等から構成されている。
【００２７】
すなわち、個人空間管理装置１は、通信端末２、２からの個人空間管理装置１への上記３次元空間情報に係わる情報の入出力を管理する空間管理部１１と、上記３次元空間内に表示できる所定の３次元座標を有する第１の表示情報としての初期表示情報Ｄ１を複数の利用者毎に、その複数の利用者それぞれの識別情報（ＩＤ）に対応付けて記憶する初期表示情報データベース１２と、この初期表示情報データベース１２に記憶された初期表示情報を管理する初期表示情報管理部１３とを備えている。
【００２８】
この初期表示情報としては、各利用者が３次元空間情報として表したい３次元の対象を模した情報、例えば、各利用者の部屋の内部空間、各利用者が利用したい店舗の内部空間、各利用者が行きたい場所等を模した情報かつ所定の３次元座標を有している情報である。
【００２９】
また、個人空間管理装置１は、各利用者の各初期表示情報に対して新たに追加して表示するための複数の表示要素を表す所定の３次元座標を有する複数の表示オブジェクトＤ５を、利用者毎に、それぞれの識別情報（オブジェクトＩＤ）および各利用者ＩＤに対応付けて記憶する表示オブジェクトデータベース１４と、この表示オブジェクトデータベース１４に記憶された表示オブジェクトＤ５を管理する表示オブジェクト管理部１５とを備えている。
【００３０】
表示オブジェクトＤ５は、物品、記号、絵柄、フォルダ、アイコン等、３次元空間情報として表示したい表示要素を表す３次元座標を有する情報であり、静的に表示したい情報に加えて、動的に表示したい情報をも含まれる。
【００３１】
また、表示オブジェクトＤ５の３次元座標は、利用者の利用端末２から送信される３次元座標情報に応じて変化させることができる。
【００３２】
さらに、個人空間情報管理装置１は、通信端末２、２の表示処理時における各表示オブジェクトＤ５の複数の表示態様を表す複数の表示態様情報Ｄ１０を、各表示オブジェクトＤ５オブジェクトＩＤおよび複数の表示態様識別子Ｄ１５にそれぞれ対応付けて記憶する表示態様情報データベース１６と、この表示態様情報データベース１６により記憶された表示態様情報Ｄ１０を管理する表示態様情報管理部１７と備えている。
【００３３】
表示態様情報Ｄ１０とは、例えば、対応する表示オブジェクトの形状、色、動き、その表示オブジェクトに付加される属性情報（表示オブジェクト自体の情報および関連する情報を含む、例えば表示オブジェクトの名前等の説明情報等）等が通信端末２、２の表示処理時においてどのように表示されるかを表す情報であり、例えば、通信端末２、２に搭載された後述する３次元（３Ｄ）ブラウザ（ソフトウェア）に基づく通信端末２、２の処理により実行されるプログラムファイルとして構成されている。
【００３４】
図２は、表示態様情報データベース１６の概略構成を示す図である。図２に示すように、オブジェクトＩＤ”０００／００１”が設定された表示オブジェクトＤ５には、表示態様識別子”表示レベル１”〜”表示レベル３”がそれぞれ設定された複数の表示態様情報（プログラムファイル）Ｄ１０（識別情報としてのファイル名が”０００００１−１．ｘ３ｄ”〜”０００００１−３．ｘ３ｄ”）が対応付けられて記憶されており、同様に、オブジェクトＩＤ”０００００２”が設定された表示オブジェクトＤ５には、表示態様識別子”表示レベル１”および”表示レベル２”がそれぞれ設定された複数の表示態様情報Ｄ１０（識別情報としてのファイル名が”０００００２−１．ｘ３ｄ”および”０００００２−２．ｘ３ｄ”）が対応付けられて記憶されている。
【００３５】
そして、個人情報管理装置１は、通信端末２、２から送信されてきた、表示オブジェクトデータベース１４に追加したい表示オブジェクトＤ５のサイズを変更するための表示サイズ変更部１８と、通信端末２、２に対して、その利用者端末２、２を利用する利用者の利用者ＩＤに対応する３次元空間情報を、その利用者ＩＤに対応する初期表示情報Ｉ１、表示オブジェクトＤ５および表示態様情報Ｄ１０に基づいて生成する３Ｄ空間情報生成部１９を備えている。
【００３６】
この個人情報管理装置１における初期表示情報管理部１３、表示オブジェクト管理部１５、表示態様情報管理部１７、表示サイズ変更部１８および３Ｄ空間情報生成部１９は、個人情報管理装置１のメモリに記憶されたプログラムに基づくコンピュータ本体の処理に基づく機能として具体化される。
【００３７】
また、初期表示情報データベース１２、表示オブジェクトデータベース１４および表示態様情報データベース１６は、例えば大容量記憶装置内に構築される。なお、この初期表示情報データベース１２、表示オブジェクトデータベース１４および表示態様情報データベース１６は、個人情報管理装置１内ではなく、この個人情報管理装置１がアクセスできる装置外の記憶装置に構築されていてもよい。
【００３８】
各通信端末２、２は、例えば、各利用者が利用するコンピュータ、携帯電話等の通信ネットワークＮに対する通信機能を有する端末（コントローラ、メモリ、操作部、ディスプレイおよび通信Ｉ／Ｆ等から構成される）であり、その通信端末２、２には、送信されてきた３Ｄ空間情報を、そのディスプレイ画面（２次元）に対して３次元表示して利用者に閲覧させる動作、および利用者の端末操作に応じて個人空間管理装置１に対して各種の要求を含む情報を送信する動作をその通信端末２、２に対して実行させることができる閲覧ソフトウェアである例えば３Ｄブラウザが搭載されている。
【００３９】
各通信端末２、２は、その３次元表示として、例えば、そのディスプレイ画面の中心からそのディスプレイ画面の垂直方向に沿って奥行き方向に離れた点を基準としてこの基準点からディスプレイ画面の中心までをｚ軸とし、ディスプレイ画面の水平方向をｘ軸、垂直方向をｙ軸で表した３次元座標により、３Ｄ空間情報を３次元表示できるようになっている。
【００４０】
この３次元表示では、奥行き方向（ｚ軸方向）の相対位置を容易に認識可能にするため、基準点からｚ軸方向に沿って離れるにつれて、３Ｄ空間情報を構成する各構成要素を拡大して表示するようになっている。
【００４１】
次に、本実施形態の全体動作について説明する。
【００４２】
最初に、表示オブジェクトデータベース１４に対して新たに追加したい表示オブジェクトを登録する際の全体動作について説明する。
【００４３】
［追加登録］
利用者の操作部操作に応じて、通信端末２は、その３ＤブラウザＢＲに基づく処理により、対応する利用者の利用者ＩＤ、追加登録したい少なくとも１つの表示オブジェクトＤ５、この追加登録したい表示オブジェクトＤ５に対応付けられた表示態様情報（プログラムファイル）Ｄ１０およびこの表示態様情報Ｄ１０に対して設定された表示態様識別子Ｄ１５を含む追加登録要求を個人空間管理装置１に対して通信ネットワークＮを介して送信する（ステップＳ１）。
【００４４】
個人空間装置１の空間管理部１１は、通信端末２から送信されてきた追加登録要求を受信し、受信した追加登録要求における利用者ＩＤおよび表示オブジェクトＤ５をそれぞれ表示オブジェクト管理部１５に送信する（ステップＳ３）。
【００４５】
表示オブジェクト管理部１５は、送信されてきた追加登録したい表示オブジェクトＤ５および利用者ＩＤをそれぞれ受信し、表示オブジェクトＤ５に対して、その表示オブジェクトＤ５を識別するための表示オブジェクトＩＤを付与するとともに、受信した利用者ＩＤと表示オブジェクトＩＤが付与された表示オブジェクトＤ５とを互いに対応付けて表示オブジェクトデータベース１４に登録し（ステップＳ５）、登録した表示オブジェクトＤ５のオブジェクトＩＤを空間管理部１１に返送する（ステップＳ７）。
【００４６】
空間管理部１１は、返送されてきた表示オブジェクトＩＤを受け取り、先に受信した表示オブジェクトＤ５、対応する表示態様情報Ｄ１０および対応する表示態様識別子Ｄ１５をそれぞれ表示サイズ変更部１８に送信する（ステップＳ９）。
【００４７】
表示サイズ変更部１８は、送信されてきた表示オブジェクトＤ５、表示態様情報Ｄ１０および表示態様識別子Ｄ１５をそれぞれ受信し、その表示オブジェクトＤ５を、対応する表示態様情報Ｄ１０に基づいて、個人空間管理装置１のディスプレイの画面に対して表示する（ステップＳ１１）。
【００４８】
このとき、表示サイズ変更部１８は、ディスプレイ画面に表示された表示オブジェクトＤ５をキャプチャしてその表示サイズが適切か否か判断し（ステップＳ１３）、この判断の結果ＮＯ（適切ではない）の場合には、その表示オブジェクトＤ５の表示サイズを変更して（ステップＳ１５）再度ステップＳ１１の処理に戻り、ステップＳ１３の判断がＹＥＳ（適切）となるまでステップＳ１１、Ｓ１３およびＳ１５の処理を繰り返す。
【００４９】
このようにして、ステップＳ１３の判断がＹＥＳ（適切）と判断された場合、表示サイズ変更部１８は、その変更された表示サイズを表示態様情報Ｄ１０に加え、その表示態様情報Ｄ１０、表示オブジェクトＤ５および表示態様識別子Ｄ１５をそれぞれ空間管理部１１に送信する（ステップＳ１７）。
【００５０】
空間管理部１１は、送信されてきた表示態様情報Ｄ１０、表示オブジェクトＤ５および表示態様識別子Ｄ１５を受信し、受信した表示オブジェクトＤ５に対応するオブジェクトＩＤ、表示態様情報Ｄ１０および表示態様識別子Ｄ１５をそれぞれ表示態様情報管理部１７に送信する（ステップＳ１９）。
【００５１】
表示態様情報管理部１７は、送信されてきたオブジェクトＩＤ、表示態様情報Ｄ１０および表示態様識別子Ｄ１５をそれぞれ受信し、受信した表示態様情報Ｄ１０を、受信したオブジェクトＩＤおよび表示態様情報Ｄ１０に対応付けて表示態様情報データベース１６に登録する（ステップＳ２１）。
【００５２】
この結果、表示オブジェクトデータベース１４には、利用者が３次元空間情報として表示を希望していた新しい表示オブジェクトＤ５が追加登録され、表示態様データベース１６には、追加登録した表示オブジェクトに対応する表示態様情報Ｄ１０が、その追加登録した表示オブジェクトＤ５のオブジェクトＩＤに対応付けられた状態で登録される。
【００５３】
なお、表示態様情報管理部１７は、表示態様情報データベース１６への表示態様情報Ｄ１０の登録までについての成否を表す成否情報（例えば、テキスト情報）を空間管理部１１に通知する（ステップＳ２１）。
【００５４】
そして、空間管理部１１は、この通知された成否情報を、追加登録要求送信元の通信端末２に対して通信ネットワークＮを介して通知する（ステップＳ２３）。
【００５５】
通信端末２は、その３ＤブラウザＢＲに基づく処理により、通知された成否情報をそのディスプレイに対して表示する（ステップＳ２５）。
【００５６】
この結果、通信端末２の利用者は、その通信端末２のディスプレイを視認することにより、追加登録要求した表示オブジェクトの登録の成否を確認することができる。
【００５７】
このように、本実施形態では、利用者は、その通信端末２を介して３次元空間情報として表示したい所望の表示オブジェクトＤ５を、その表示オブジェクトＤ５に対して設定した所望の表示態様情報Ｄ１０、利用者ＩＤおよび表示態様識別子Ｄ１５と共に追加登録要求として個人空間管理装置１に対して送信するだけで、その個人空間管理装置１に対して、追加登録したい所望の表示オブジェクトＤ５を追加登録することができる。
【００５８】
次に、利用者が自分専用の３次元空間情報をその通信端末２に対して表示する際の全体動作について説明する。
【００５９】
［表示段階］
利用者の操作部操作に応じて、通信端末２は、その３ＤブラウザＢＲに基づく処理により、対応する利用者の利用者ＩＤと、その利用者ＩＤに対応付けられている表示オブジェクトＤ５に対する複数の表示態様識別子の中から選択した所望の表示態様識別子Ｄ１５とを含む３Ｄ空間情報表示要求を通信ネットワークＮを介して個人空間管理装置１に対して送信する（ステップＳ３１）。
【００６０】
個人空間装置１の空間管理部１１は、通信端末２から送信されてきた３Ｄ空間情報表示要求を受信し、受信した３Ｄ空間情報表示要求における利用者ＩＤを初期表示情報管理部１３に対して送信して初期表示情報Ｄ１の返送を要求する（ステップＳ３３）。
【００６１】
初期表示情報管理部１３は、送信されてきた利用者ＩＤを検索キーとして初期表示情報データベース１２を検索し、利用者ＩＤ毎に記憶された複数の初期表示情報から、その利用者ＩＤに対応する初期表示情報Ｄ１を抽出し、抽出した初期表示情報Ｄ１を空間管理部１１に返送する（ステップＳ３５）。
【００６２】
空間管理部１１は、返送されてきた初期表示情報Ｄ１を受信し、表示オブジェクト管理部１５に対し、先に受信した利用者ＩＤを送信して表示オブジェクトＤ５および表示オブジェクトＩＤの返送を要求する（ステップＳ３７）。
【００６３】
表示オブジェクト管理部１５は、送信されてきた利用者ＩＤを検索キーとして表示オブジェクトデータベース１４を検索し、利用者ＩＤ毎に記憶された複数の表示オブジェクトから、その利用者ＩＤに対応する表示オブジェクトＤ５および表示オブジェクトＩＤを抽出し、抽出した表示オブジェクトＤ５および表示オブジェクトＩＤを空間管理部１１に返送する（ステップＳ３９）。
【００６４】
空間管理部１１は、返送されてきた表示オブジェクトＤ５および表示オブジェクトＩＤをそれぞれ受信し、表示態様情報管理部１７に対し、先に受信した表示態様識別子Ｄ１５および受信した表示オブジェクトＩＤをそれぞれ送信して表示態様情報（プログラムファイル）Ｄ１０の返送を要求する（ステップＳ４１）。
【００６５】
表示態様情報管理部１７は、送信されてきた表示オブジェクトＩＤおよび表示態様識別子Ｄ１５を検索キーとして表示態様情報データベース１６を検索し、表示オブジェクトＩＤ毎および表示態様識別子毎にそれぞれ記憶された複数の表示態様情報から、その表示オブジェクトＩＤおよび表示態様識別子Ｄ１５に対応する表示態様情報Ｄ１０を抽出し、抽出した表示態様情報Ｄ１０を空間管理部１１に返送する（ステップＳ４３）。
【００６６】
空間管理部１１は、返送されてきた表示態様情報Ｄ１０を受信し、先に受信した初期表示情報Ｄ１、表示オブジェクトＤ５および表示態様情報Ｄ１０をそれぞれ３Ｄ空間情報生成部１９に送信して３Ｄ空間情報Ｘの生成を要求する（ステップＳ４５）。
【００６７】
３Ｄ空間情報生成部１９は、送信されてきた初期表示情報Ｄ１、表示オブジェクトＤ５および表示態様情報Ｄ１０をそれぞれ受信し、大容量記憶装置におけるその利用者ＩＤに対応する記憶領域内の３次元空間において、初期表示情報Ｄ１および表示オブジェクトＤ５を、それぞれその３次元座標に基づいて重ね合わせて空間情報を生成し、生成した空間情報に対して、その表示オブジェクトＤ１０に対応する表示態様情報Ｄ１５を付加して３Ｄ空間情報Ｘを生成し、生成した３Ｄ空間情報Ｘを空間管理部１１に返送する（ステップＳ４７）。
【００６８】
空間管理部１１は、返送された３Ｄ空間情報Ｘを、３Ｄ空間情報表示要求送信元の通信端末２に対して通信ネットワークＮを介して送信する（ステップＳ４９）。
【００６９】
通信端末２は、その３ＤブラウザＢＲに基づく表示処理により、送信されてきた３Ｄ空間情報Ｘをそのディスプレイに対して表示する（ステップＳ５１）。
【００７０】
このとき、通信端末２は、３Ｄ空間情報Ｘをディスプレイに表示する際に、その３Ｄ空間情報Ｘにおける表示オブジェクトＤ５に対応する表示態様情報（プログラムファイル）Ｄ１０を３ＤブラウザＢＲと協同して実行することにより、表示オブジェクトＤ５の表示態様を、その表示態様情報Ｄ１０に従って設定する（ステップＳ５３）。
【００７１】
図５は、通信端末２のディスプレイに表示された３Ｄ空間情報Ｘの一例を示す図である。
【００７２】
図５に示すように、ディスプレイには、例えば、初期表示情報Ｄ１として、利用者の住空間が模された３次元情報が３次元表示されており、その初期表示情報Ｄ１上には、表示オブジェクトＤ５として額縁が表示されている。そして、その額縁上に表示された椅子の図柄は、対応する表示態様情報Ｄ１０により添付して表示されたものである。
【００７３】
このとき、本実施形態では、表示オブジェクトＤ５に対して複数の表示態様情報Ｄ１０が対応付けて登録されているため、ステップＳ３１における表示態様識別子Ｄ１５を変更することにより、通信端末２のディスプレイに表示された表示オブジェクトＤ５の表示態様を容易に変更することができる。
【００７４】
例えば、図５における表示オブジェクトＤ５の表示位置を、「ｚ軸方向に沿ってさらに所定座標分だけ手前にしてその表示サイズを拡大させ、説明情報を添付させる」内容（プログラム）の表示態様情報Ｄ１０Ａが予め表示態様情報データベース１６に登録されており、その表示態様情報Ｄ１０Ａに対応する表示態様識別子Ｄ１５ＡがステップＳ１で選択された場合には、図６に示すように、表示オブジェクトＤ５の表示態様を、選択した表示態様情報Ｄ１０Ａ通りに容易に変更することができる。
【００７５】
また、例えば、図５における表示オブジェクトＤ５の表示位置を、「ｚ軸方向に沿ってさらに所定座標分だけ手前にしてその表示サイズを拡大させ、そのオブジェクトＤ５の中心を通りｙ軸に平行な軸（Ｌ軸）を中心に回転させる」内容（プログラム）の表示態様情報Ｄ１０Ｂが予め表示態様情報データベース１６に登録されており、その表示態様情報Ｄ１０Ｂに対応する表示態様識別子Ｄ１５ＢがステップＳ１で選択された場合には、図７に示すように、表示オブジェクトＤ５の表示態様を、選択した表示態様情報Ｄ１０Ｂ通りに容易に変更することができる。
【００７６】
なお、ステップＳ５１およびＳ５３の処理により通信端末２に対して３Ｄ空間情報Ｘが表示されている状態において、利用者が他の表示オブジェクトを追加表示したい場合には、利用者は、通信端末２の操作部を操作して、追加表示したい表示オブジェクトＤ５のオブジェクトＩＤ、利用者ＩＤおよびその追加表示したい表示オブジェクトＤ５に対する複数の表示態様識別子の中から選択した所望の表示態様識別子Ｄ１５を含む３Ｄ空間情報表示要求を通信端末２に対して入力し、その通信端末２の処理により通信ネットワークＮを介して個人空間管理装置１に対して送信すればよい（ステップＳ５５参照）。
【００７７】
この結果、個人空間管理装置１は、送信されてきた３Ｄ空間情報表示要求に基づいて再度、図４のステップＳ３３〜Ｓ４７の処理を実行し、そのステップＳ４７の処理として、生成された３Ｄ空間情報Ｘ１が通信端末２に対して送信される。
【００７８】
したがって、通信端末２の３ＤブラウザＢＲに基づく表示処理により、送信されてきた３Ｄ空間情報Ｘ１をそのディスプレイに対して表示することができる（ステップＳ５７参照）。
【００７９】
以上述べたように、本実施形態によれば、３Ｄ空間情報Ｘとして表示したい表示オブジェクトＤ５の複数の表示態様を表す複数の表示態様情報Ｄ１０を複数の表示態様識別子Ｄ１５にそれぞれ対応付けて表示態様データベース１６に記憶している。
【００８０】
このため、利用者は、個別に設定された初期表示情報Ｄ１および所望の表示オブジェクトＤ５を組み合わせて利用者自身の３Ｄ空間情報Ｘを表示する際に、その表示オブジェクトＤ５の表示態様を、所望の表示識別子を選択することにより容易に設定することができる。
【００８１】
したがって、各利用者は、その利用者自身の３Ｄ空間情報Ｘ上に表示したい表示オブジェクト毎に所望の表示態様（例えば、複数の表示オブジェクトそれぞれを一覧表示するための表示態様や、所望の少数のオブジェクトを大きく表示して詳しい説明情報を添付させるための表示態様等）を設定することができ、利用者の通信端末２で表示・閲覧される３Ｄ空間情報Ｘの利用者満足度を向上させることができる。
【００８２】
また、利用者の通信端末２で表示・閲覧される情報は３Ｄ空間情報Ｘであるため、利用者は、従来の２次元情報に比べて、その３Ｄ空間情報Ｘを直感的に理解することができ、しかも、奥行きの座標軸（ｚ軸）を用いることにより、多数の表示オブジェクトを含む大容量の情報を表示することができる。
【００８３】
なお、表示態様データベースに記憶された複数の表示態様情報（プログラムファイル）の内の少なくとも１つを、表示オブジェクトに設定された３次元座標に応じて、通信端末の表示処理時において異なる表示態様変化をさせるように設定することもでき、表示オブジェクトの座標位置に応じて、その座標位置に適した表示態様を設定することができる。
【００８４】
また、表示態様データベースに記憶された複数の表示態様情報（プログラムファイル）を互いにリンクさせておくことも可能である。
【００８５】
この場合、利用者は、個別に設定された初期表示情報Ｄ１および所望の表示オブジェクトＤ５を組み合わせて利用者自身の３Ｄ空間情報Ｘを表示する際に、その表示オブジェクトＤ５の表示態様として、互いにリンクされた複数の表示態様情報それぞれに対応する複数の表示態様識別子を設定することにより、ステップＳ３３〜Ｓ４７の処理により、複数の表示態様識別子に対応する互いにリンクされた複数の表示態様情報（プログラムファイル）を通信端末２に対して送信することができる。
【００８６】
このとき、通信端末２では、ステップＳ５１およびＳ５３の処理により、送信された複数のプログラムファイルの内の１つのプログラムファイルが実行され、その実行後、その実行終了したプログラムファイルにリンクされている他のプログラムファイルに基づいて、通信端末２により同一の表示オブジェクトの表示処理に移行することができる。
【００８７】
この結果、表示オブジェクトの表示態様を連続して変化させたい際の個人空間管理装置１に対するアクセス回数を低減することができる。
【００８８】
なお、個人情報管理装置１のメモリに記憶されたプログラムは、半導体メモリ、磁気ディスク、光ディスク、光磁気ディスク、磁気テープ等のコンピュータが読み取り可能な記録媒体に記録したり、インターネット上のサーバ等にアップロードしておくことにより、流通性を高めることができる。
【００８９】
【発明の効果】
以上説明したように、本発明によれば、通信端末の表示処理時における表示オブジェクトの複数の表示態様を表す複数の表示態様情報を複数の表示態様識別子にそれぞれ対応付けて記憶する表示態様情報データベースから、表示態様識別子により、その表示識別子に対応する表示態様情報を検索することができるため、その表示オブジェクトの表示態様を、複数の表示態様情報それぞれに設定された表示態様識別子から所望の表示識別子を選択することにより容易に設定することができる。
【００９０】
したがって、利用者は、その利用者自身の三次元空間情報上に表示したい表示オブジェクト毎に所望の表示態様を設定することができ、利用者の通信端末で表示・閲覧される３次元空間情報の満足度を向上させることができる。
【図面の簡単な説明】
【図１】本発明の実施の形態の構成を示す図。
【図２】図１に示す表示態様情報データベースの概略構成を示す図。
【図３】図１に示す個人空間管理装置および通信端末の処理の一例を示す概略フローチャート。
【図４】図１に示す個人空間管理装置および通信端末の処理の一例を示す概略フローチャート。
【図５】図４に示す処理において通信端末のディスプレイに３次元表示された３Ｄ空間情報の一例を示す図。
【図６】図４に示す状態から、表示オブジェクトの表示態様が変化したことを示す図。
【図７】図４に示す状態から、表示オブジェクトの表示態様が変化したことを示す図。
【符号の説明】
１  個人空間管理装置
２  通信端末
１１  空間管理部
１２  初期表示情報データベース
１３  初期表示情報管理部
１４  表示オブジェクトデータベース
１５  表示オブジェクト管理部
１６  表示態様情報データベース
１７  表示態様情報管理部
１８  表示サイズ変更部
１９  ３Ｄ空間情報生成部
Ｄ１  初期表示情報
Ｄ５  表示オブジェクト
Ｄ１０  表示態様情報
Ｄ１５  表示態様識別子
Ｘ  ３Ｄ空間情報
【図１】
2004334697.tif 000003
【図２】
2004334697.tif 000004
【図３】
2004334697.tif 000005
【図４】
2004334697.tif 000006
【図５】
2004334697.tif 000007
【図６】
2004334697.tif 000008
【図７】
2004334697.tif 000009